Podtech/llm-jp-corpus-v4-ja_patent huggingface dataset:
【手続補正書】
【提出日】平成27年11月20日(2015.11.20)
【手続補正１】
【補正対象書類名】特許請求の範囲
【補正対象項目名】全文
【補正方法】変更
【補正の内容】
【特許請求の範囲】
【請求項１】
イオン交換可能であるように配合されるガラスであって、
ａ．あらかじめ選択された色を付与するために配合される１種以上の金属含有ドーパント、
を含んでなり、
ｂ．約６４時間までのイオン交換処理（ＩＯＸ）の後、
ｉ．少なくとも約５００ＭＰａを含んでなる圧縮応力（σｓ）下にある少なくとも１つの表面を有し、かつ
ｉｉ．前記圧縮応力（σｓ）下の前記少なくとも１つの表面が、少なくとも約１５μｍを含んでなる層の深さ（ＤＯＬ）を示し、かつ
ｃ．ＳｉＯ２が少なくとも約４０モル％を構成する
ことを特徴とするガラス。
【請求項２】
前記ガラスが、前記イオン交換処理（ＩＯＸ）の前にあらかじめ選択された色を付与するために配合される１種以上の金属含有ドーパントを含んでなる着色ガラスであり、かつ前記イオン交換処理（ＩＯＸ）の後、
ｉｉｉ．分光光度計を使用する正透過測定から決定される、ＩＯＸ処理後およびＩＯＸ処理前の前記着色ガラスの前記あらかじめ選択された色のＣＩＥＬＡＢ色空間座標の色差（ΔＥ＝［｛ΔＬ＊｝２＋｛Δａ＊｝２＋｛Δｂ＊｝２］０．５）であって、以下：
１．約２００ｎｍ〜２５００ｎｍの間で得られる測定結果が、１０°の観察者角度およびＣＩＥ発光物Ａに関してＣＩＥＬＡＢ色空間座標で示される場合、約８．２まで、または
２．約２００ｎｍ〜２５００ｎｍの間で得られる測定結果が、１０°の観察者角度およびＣＩＥ発光物Ｆ０２に関してＣＩＥＬＡＢ色空間座標で示される場合、約９．１まで、または
３．約２００ｎｍ〜２５００ｎｍの間で得られる測定結果が、１０°の観察者角度およびＣＩＥ発光物Ｄ６５に関してＣＩＥＬＡＢ色空間座標で示される場合、約８．４まで、または
４．約３６０ｎｍ〜７５０ｎｍの間で得られる測定結果が、１０°の観察者角度およびＣＩＥ発光物Ａに関してＣＩＥＬＡＢ色空間座標で示される場合、約５．２まで、または
５．約３６０ｎｍ〜７５０ｎｍの間で得られる測定結果が、１０°の観察者角度およびＣＩＥ発光物Ｆ０２に関してＣＩＥＬＡＢ色空間座標で示される場合、約６．３まで、または
６．約３６０ｎｍ〜７５０ｎｍの間で得られる測定結果が、１０°の観察者角度およびＣＩＥ発光物Ｄ６５に関してＣＩＥＬＡＢ色空間座標で示される場合、約６．５まで
を含んでなる色差をさらに含んでなることを特徴とする、請求項１に記載のガラス。
【請求項３】
Ａｌ２Ｏ３；Ｒが、Ｌｉ、Ｎａ、Ｋ、ＲｂおよびＣｓの１種以上を含んでなるＲ２Ｏの形態の少なくとも１種のアルカリ金属酸化物；ならびにＢ２Ｏ３、Ｋ２Ｏ、ＭｇＯ、ＺｎＯおよびＰ２Ｏ５の１種以上をさらに含んでなることを特徴とする、請求項１に記載のガラス。
【請求項４】
ｃ．ＳｉＯ２が約４０モル％〜約７０モル％を構成し、
ｄ．Ａｌ２Ｏ３が約０モル％〜約２５モル％を構成し、
ｅ．Ｂ２Ｏ３が０モル％〜約１０モル％を構成し、
ｆ．Ｎａ２Ｏが約５モル％〜約３５モル％を構成し、
ｇ．Ｋ２Ｏが０モル％〜約２．５モル％を構成し、
ｈ．ＭｇＯが０モル％〜約８．５モル％を構成し、
ｉ．ＺｎＯが０モル％〜約２モル％を構成し、
ｊ．Ｐ２Ｏ５が約０〜約１０％を構成し、
ｋ．ＣａＯが０モル％〜約１．５モル％を構成し、
ｌ．Ｌｉ２Ｏが０モル％〜約２０モル％を構成し、
ｍ．Ｒｂ２Ｏが０モル％〜約２０モル％を構成し、かつ
ｎ．Ｃｓ２Ｏが０モル％〜約２０モル％を構成する
ことを特徴とする、請求項１に記載のガラス。
【請求項５】
あらかじめ選択された色を付与するために配合される１種以上の金属含有ドーパントが、１種以上の遷移金属、１種以上の希土類元素、あるいは１種以上の遷移金属および１種以上の希土類元素を含んでなることを特徴とする、請求項１に記載のガラス。
【請求項６】
前記１種以上の金属含有ドーパント供給源が、Ａｕ、Ａｇ、Ｃｕ、Ｎｉ、Ｃｏ、Ｆｅ、Ｍｎ、Ｃｒ、Ｖ、Ｔｉ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、ＹｂおよびＬｕの１種以上を含んでなることを特徴とする、請求項５に記載のガラス。
【請求項７】
Ｒ２Ｏ＋Ａｌ２Ｏ３＋ＭｇＯ＋ＺｎＯのモル％の合計が少なくとも約２５モル％を構成することを特徴とする、請求項３に記載のガラス。
【請求項８】
前記ガラスが、約１ｍｍまでの厚さを有するガラス物品であることを特徴とする、請求項１から７いずれか１項に記載のガラス。
【請求項９】
Ｆ、Ｃｌ、Ｂｒ、Ｉ、Ａｓ２Ｏ３、Ｓｂ２Ｏ３、ＣｅＯ２およびＳｎＯ２の１種以上を含んでなる少なくとも１種の清澄剤をさらに含んでなることを特徴とする、請求項１に記載のガラス。
【請求項１０】
着色ガラスの製造方法であって、アルミノケイ酸塩を含んでなる請求項１に記載のガラスの少なくとも１つの表面を、
ａ．
ｉ．前記アルミノケイ酸塩ガラスがリチウムアルミノケイ酸塩ガラスを含んでなる場合、リチウムイオンと交換可能なナトリウム、カリウム、ルビジウムおよび／またはセシウムの１種以上のイオン、あるいは
ｉｉ．前記アルミノケイ酸塩ガラスがナトリウムアルミノケイ酸塩ガラスを含んでなる場合、ナトリウムイオンと交換可能なカリウム、ルビジウムおよび／またはセシウムの１種以上のイオン、あるいは
ｉｉｉ．前記アルミノケイ酸塩ガラスがカリウムアルミノケイ酸塩ガラスを含んでなる場合、カリウムイオンと交換可能なルビジウムおよび／またはセシウムの１種以上のイオン
を含んでなる、強化イオン供給源を含んでなる１種以上の塩、
ｂ．約３５０℃〜約５００℃を含んでなる前記イオン交換処理（ＩＯＸ）温度以下の溶融温度、ならびに
ｃ．前記イオン交換処理（ＩＯＸ）によって前記アルミノケイ酸塩ガラスにあらかじめ選択された色を付与するために配合される１種以上の金属含有ドーパント供給源
を含んでなる浴と連絡する工程を含んでなることを特徴とする方法。
【請求項１１】
強化イオン供給源を含んでなる１種以上の塩が、ハロゲン化物、シアン化物、炭酸塩、酸化窒素ラジカル、塩素酸塩、硫化物、亜硫酸塩および硫酸塩の１種以上の配合物をさらに含んでなることを特徴とする、請求項１０に記載の方法。
【手続補正書】
【提出日】平成27年12月2日(2015.12.2)
【手続補正１】
【補正対象書類名】特許請求の範囲
【補正対象項目名】全文
【補正方法】変更
【補正の内容】
【特許請求の範囲】
【請求項１】
栄養製品に、
５０ｓ−１の剪断速度で測定して１００ｍＰａｓ未満の剪断粘度、及び
キャピラリー破断式伸長粘度計（ＣａＢＥＲ）実験によって測定して、温度２０℃で１０ｍ秒（ミリ秒）超の緩和時間
を与えることが可能な食品用バイオポリマー水溶液を含む、栄養製品。
【請求項２】
剪断粘度が、５０ｓ−１の剪断速度で測定して少なくとも１ｍＰａｓである、請求項１に記載の栄養製品。
【請求項３】
緩和時間が、温度２０℃で、２０００ｍ秒未満である、請求項１又は２に記載の栄養製品。
【請求項４】
栄養製品のフィラメント径が、キャピラリー破断式伸長粘度計実験中の時間において直線的よりも少なく減少する、請求項１〜３のいずれか一項に記載の栄養製品。
【請求項５】
水溶液が、０．０１ｗｔ％〜２５ｗｔ％の濃度で食品用バイオポリマーを含む、請求項１〜４のいずれか一項に記載の栄養製品。
【請求項６】
希釈形態である、請求項１〜５のいずれか一項に記載の栄養製品。
【請求項７】
食品用バイオポリマーが、植物親水コロイド、微生物親水コロイド、動物親水コロイド、藻類親水コロイド及びこれらの任意の組み合わせからなる群から選択される、請求項１〜６のいずれか一項に記載の栄養製品。
【請求項８】
藻類親水コロイドが、寒天、カラギーナン、アルギン酸塩、又はこれらの任意の組み合わせからなる群から選択される、請求項７に記載の栄養製品。
【請求項９】
微生物親水コロイドが、キサンタンガム、ゲランガム、カードランガム、又はこれらの任意の組み合わせからなる群から選択される、請求項７又は８に記載の栄養製品。
【請求項１０】
植物親水コロイドが、植物抽出ガム、植物由来粘液、及びこれらの組み合わせからなる群から選択される、請求項７〜９のいずれか一項に記載の栄養製品。
【請求項１１】
植物抽出ガムが、オクラガム、コンニャクマンナン、タラガム、ローカストビーンガム、グアーガム、コロハガム、タマリンドガム、カッシアガム、アカシアガム、ガティガム、ペクチン、セルロース系化合物、トラガカントガム、カラヤガム、又はこれらの任意の組み合わせからなる群から選択される、請求項１０に記載の栄養製品。
【請求項１２】
植物由来粘液が、キウイフルーツ粘液、サボテン粘液、チーア種子粘液、オオバコ粘液、ゼニアオイ粘液、亜麻仁粘液、ウスベニタチアオイ粘液、ヘラオオバコ粘液、モウズイカ粘液、セトラリア粘液、又はこれらの組み合わせからなる群から選択される、請求項１０又は１１に記載の栄養製品。
【請求項１３】
食品用バイオポリマーが、オクラガム及び／若しくはキウイフルーツ粘液、又はこれらの組み合わせから選択される、請求項１〜１２のいずれか一項に記載の栄養製品。
【請求項１４】
キウイフルーツ粘液が、キウイフルーツの果柄の髄に由来する、請求項１２又は１３に記載の栄養製品。
【請求項１５】
水溶液が剛体粒子を含み、
剛体粒子が、１〜１００マイクロメートルの大きさを有し；且つ／又は
剛体粒子が、５〜８０ｖｏｌ％の量で含まれ；且つ／又は
剛体粒子が、スクロース結晶、ココア粒子、微結晶セルロース粒子、デンプン及び化工デンプン顆粒、タンパク質粒子並びにこれらの任意の組み合わせからなる群から選択される、
請求項１〜１４のいずれか一項に記載の栄養製品。
【請求項１６】
アカシアガム、αグルカン、アラビノガラクタン、βグルカン、デキストラン、フラクトオリゴ糖、フコシルラクトース、ガラクトオリゴ糖、ガラクトマンナン、ゲンチオオリゴ糖、グルコオリゴ糖、グアーガム、イヌリン、イソマルトオリゴ糖、ラクトネオテトラオース、ラクトスクロース、ラクチュロース、レバン、マルトデキストリン、ミルクオリゴ糖、部分加水分解グアーガム、ペクチン由来オリゴ糖、難消化性デンプン、老化デンプン、シアロオリゴ糖、シアリルラクトース、ダイズオリゴ糖、糖アルコール、キシロオリゴ糖、それらの加水分解物、及びこれらの組み合わせからなる群から選択されるプレバイオティク、
及び／又は、
アエロコッカス、アスペルギルス、バクテロイデス、ビフィドバクテリウム、カンジダ、クロストリジウム、デバロマイセス、エンテロコッカス、フソバクテリウム、ラクトバチルス、ラクトコッカス、ロイコノストック、メリッソコッカス、マイクロコッカス、ムコール、オエノコッカス、ペディオコッカス、ペニシリウム、ペプトストレプトコッカス、ピキア、プロピオニバクテリウム、シュードカテニュレイタム、リゾプス、サッカロミセス、スタフィロコッカス、ストレプトコッカス、トルロプシス、ウェイセラ、及びこれらの組み合わせからなる群から選択されるプロバイオティク、
及び／又は、
アラニン、アルギニン、アスパラギン、アスパラギン酸塩、シトルリン、システイン、グルタミン酸塩、グルタミン、グリシン、ヒスチジン、ヒドロキシプロリン、ヒドロキシセリン、ヒドロキシチロシン、ヒドロキシリジン、イソロイシン、ロイシン、リジン、メチオニン、フェニルアラニン、プロリン、セリン、タウリン、トレオニン、トリプトファン、チロシン、バリン、及びこれらの組み合わせからなる群から選択されるアミノ酸、
及び／又は、
フラバノイド、連結フェノール化合物、ポリフェノール化合物、テルペノイド、アルカロイド、硫黄含有化合物、及びこれらの組み合わせからなる群から選択される植物栄養素、
及び／又は、
アスタキサンチン、カロテノイド、コエンザイムＱ１０（「ＣｏＱ１０」）、フラボノイド、グルタチオン  ゴジ（ウルフベリー）、ヘスペリジン、ラクトウルフベリー、リグナン、ルテイン、リコペン、ポリフェノール、セレン、ビタミンＡ、ビタミンＣ、ビタミンＥ、ゼアキサンチン、及びこれらの組み合わせからなる群から選択される抗酸化剤、
をさらに含む、請求項１〜１５のいずれか一項に記載の栄養製品。
【請求項１７】
医薬製剤、栄養製剤、栄養補助食品、機能性食品、及び飲料製品、並びにこれらの組み合わせからなる群から選択される投与形態である、請求項１〜１６のいずれか一項に記載の栄養製品。
【請求項１８】
嚥下障害を治療するための、請求項１〜１７のいずれか一項に記載の栄養製品の使用。
【請求項１９】
栄養製品を必要とする患者における栄養製品の安全な嚥下を促進するための、請求項１〜１７のいずれか一項に記載の栄養製品の使用。
【請求項２０】
栄養製品を必要とする患者における嚥下中における誤嚥の危険性を緩和するための、請求項１〜１７のいずれか一項に記載の栄養製品の使用。
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
抗体のＦｃ部分および可溶性ＩＧＦ−ＩＲタンパク質を含む融合タンパク質、その生物活性フラグメントもしくは類似体であって、配列番号１６、配列番号１２、配列番号１４、配列番号１８、配列番号８、または配列番号１０の配列を含む、前記融合タンパク質、その生物活性フラグメントもしくは類似体。
【請求項２】
請求項１の融合タンパク質、その生物活性フラグメントもしくは類似体であって、配列番号１６、配列番号１２、配列番号１４、配列番号１８、配列番号８、または配列番号１０の配列からなる、前記融合タンパク質、その生物活性フラグメントもしくは類似体。
【請求項３】
請求項１または２の融合タンパク質、その生物活性フラグメントもしくは類似体をコードする核酸。
【請求項４】
前記核酸が配列番号７、９、１１、１３、１５、もしくは１７の配列を有する、またはその縮重改変体である、請求項３の核酸。
【請求項５】
対象における血管新生関連疾病、癌、または転移疾患の阻害、予防、または治療に用いる、請求項１または２の融合タンパク質、その生物活性フラグメントもしくは類似体を含む薬学的組成物。
【請求項６】
腫瘍転移、結腸直腸癌、肺癌、乳癌、多発性骨髄腫、多形膠芽細胞腫、肝癌、膀胱癌、膵臓癌、肝臓癌、ユーイング肉腫、または骨肉腫の治療に用いる請求項５の薬学的組成物。
【請求項７】
前記肝癌が肝臓転移である、請求項６の薬学的組成物。
【請求項８】
請求項１または２の融合タンパク質、その生物活性フラグメントもしくは類似体を発現するように遺伝子組換えされた自己細胞を対象に投与する、請求項５〜７のいずれか１項の薬学的組成物。
【請求項９】
前記自己細胞は骨髄由来間葉系間質細胞である、請求項８の薬学的組成物。
【請求項１０】
前記融合タンパク質、その生物活性フラグメントもしくは類似体を、他の血管新生阻害剤、抗癌剤、および／または療法と組み合わせて対象に投与する、請求項５〜９のいずれか１項の薬学的組成物。
【請求項１１】
前記融合タンパク質、その生物活性フラグメントもしくは類似体および前記血管新生阻害剤、抗癌剤、または療法は、同時にまたは連続的に投与される、請求項１０の薬学的組成物。
【請求項１２】
前記抗癌剤または療法は、外科手術、放射線、化学療法、または標的癌治療である、請求項１０または１１の薬学的組成物。
【請求項１３】
前記標的癌治療は、小分子、モノクローナル抗体、癌ワクチン、アンチセンスヌクレオチド、ｓｉＲＮＡ、アプタマー、または遺伝子治療である、請求項１２の薬学的組成物。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
架橋したビス（インデニル）配位子を調製するプロセスであって、
溶媒中において、Ｐｄ触媒および塩基の存在下で、式（１）
2015505846.tif 000001
の２−インデニルピナコリルボラン化合物（式中、Ｒ1、Ｒ2、Ｒ3、Ｒ4、Ｒ5、Ｒ6の各々が、独立して、Ｈ、１〜２０のＣ原子を有する炭化水素ラジカル、ハロゲン化物、１〜６のＣ原子を有するアルコキシ基、アルキル硫化物、アミン、ＳｉまたはＢ含有基、もしくはＰ含有基を表す）を、
式（２）
2015505846.tif 000002
の臭素置換化合物（式中、Ｒは、インデニル基の２位に結合されるｓｐ２−混成軌道にある炭素原子を少なくとも２つ含有する架橋基を表す）と反応させて、式（３）
2015505846.tif 000003
の対応する架橋したビス（インデニル）配位子（式中、Ｒ、Ｒ1、Ｒ2、Ｒ3、Ｒ4、Ｒ5、およびＲ6が上述したものである）を形成する工程を含むプロセス。
【請求項２】
前記Ｐｄ触媒が、ビス（トリフェニルホスフィン）パラジウムジクロリド（（ＰＰｈ3）2ＰｄＣｌ2）である、請求項１記載のプロセス。
【請求項３】
前記塩基がトリエチルアミン（Ｅｔ3Ｎ）である、請求項１または２記載のプロセス。
【請求項４】
使用される前記溶媒がジオキサンである、請求項１から３いずれか１項記載のプロセス。
【請求項５】
Ｒが、フェニレン基またはビフェニリデン基を表す、請求項１から４いずれか１項記載のプロセス。
【請求項６】
Ｒ1、Ｒ2、Ｒ3、Ｒ4、Ｒ5、およびＲ6の全てがＨを表す、請求項１から５いずれか１項記載のプロセス。
【請求項７】
溶媒中において、Ｐｄ触媒および塩基の存在下で、式（４）
2015505846.tif 000004
の２−ブロモインデン化合物を、
ピナコールボラン（式（５）により表される）
2015505846.tif 000005
と反応させて、式（１）
2015505846.tif 000006
の対応する２−インデニルピナコリルボラン化合物（式中、Ｒ1、Ｒ2、Ｒ3、Ｒ4、Ｒ5、およびＲ6は、上記に定義されたものである）を形成する工程をさらに含む、請求項１から６いずれか１項記載のプロセス。
【請求項８】
式（１）の２−インデニルピナコリルボラン化合物の調製において、前記Ｐｄ触媒として、ビス（トリフェニルホスフィン）パラジウムジクロリド（（ＰＰｈ3）2ＰｄＣｌ2）が使用される、請求項７記載のプロセス。
【請求項９】
式（１）の２−インデニルピナコリルボラン化合物の調製において、前記塩基として、Ｋ3ＰＯ4が使用される、請求項７または８記載のプロセス。
【請求項１０】
式（１）の２−インデニルピナコリルボラン化合物の調製において使用される溶媒が、テトラヒドロフランである、請求項７から９いずれか１項記載のプロセス。
【請求項１１】
式（３）
2015505846.tif 000007
の架橋したビス（インデニル）配位子を、式（６）
2015505846.tif 000008
の対応するメタロセン錯体（式中、Ｍは、元素の周期表の３、４、５または６族からのまたはランタニド系元素の群からの遷移金属を表し、Ｑは、Ｍに対する陰イオン配位子を表し、ｋは、整数を表し、かつ陰イオン配位子の数を示し、Ｒ、Ｒ1、Ｒ2、Ｒ3、Ｒ4、Ｒ5、およびＲ6は、上記に定義されたものである）に転化する工程をさらに含む、請求項１から１０いずれか１項記載のプロセス。
【請求項１２】
式（３）の架橋したビス（インデニル）配位子が、有機金属化合物、アミン、金属水素化物、アルカリ土類金属またはアルカリ土類金属を使用して、対応するジアニオンに転化され、形成された該アニオンが、遷移金属Ｍの化合物により金属交換されて、式（６）
2015505846.tif 000009
の対応するメタロセン錯体（式中、Ｍは、元素の周期表の３、４、５または６族からのまたはランタニド系元素の群からの遷移金属を表し、Ｑは、Ｍに結合した陰イオン配位子を表し、ｋは、整数を表し、かつ陰イオン配位子の数を示し、Ｒ、Ｒ1、Ｒ2、Ｒ3、Ｒ4、Ｒ5、およびＲ6は、上記に定義されたものである）を形成する、請求項１１記載のプロセス。
【請求項１３】
式（６）のメタロセン錯体。
2015505846.tif 000010
（式中、Ｍは、元素の周期表の３、４、５または６族からのまたはランタニド系元素の群からの遷移金属を表し、Ｑは、Ｍに対する陰イオン配位子を表し、ｋは、整数を表し、かつ陰イオン配位子の数を示し、Ｒは、インデニル基の２位に結合されるｓｐ２−混成軌道にある炭素原子を少なくとも２つ含有する架橋基を表し、Ｒ1、Ｒ2、Ｒ3、Ｒ4、Ｒ5、Ｒ6の各々は、独立して、Ｈ、１〜２０のＣ原子を有する炭化水素ラジカル、ハロゲン化物、１〜６のＣ原子を有するアルコキシ基、アルキル硫化物、アミン、ＳｉまたはＢ含有基、もしくはＰ含有基を表す。）
【請求項１４】
必要に応じて助触媒の存在下での、１種類以上のα−オレフィンの重合、好ましくはエチレンの重合のための、請求項１３記載のメタロセン錯体を含む組成物の使用。
【請求項１５】
気相重合での直鎖低密度ポリエチレン（ＬＬＤＰＥ）の調製における、請求項１３記載のメタロセン錯体を含む組成物の使用。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
ポリエチレンテレフタレートの製造のための触媒を調製するプロセスであって、
ａ）エチレングリコール、プロピレングリコールおよびブチレングリコールからなる群より選択される１種類以上のグリコールを含む溶媒中でホウ酸と亜鉛塩を反応させ、それによって、沈殿物を形成する工程、および
ｂ）工程ａ）から得られた沈殿物を単離する工程、
を有してなるプロセス。
【請求項２】
前記ホウ酸が前記１種類以上のグリコールを含む溶媒中に溶解され、前記１種類以上のグリコールを含む溶媒中または水中の溶液形態または固体形態のいずれかにある前記亜鉛塩を、前記ホウ酸を含む溶液と組み合わせる、請求項１記載のプロセス。
【請求項３】
前記ホウ酸と前記塩酸塩との間の反応が不活性雰囲気下で行われる、請求項１または２記載のプロセス。
【請求項４】
前記ホウ酸と前記塩酸塩との間の反応が、１００℃から前記溶液の沸点までの温度で行われる、請求項１から３いずれか１項記載のプロセス。
【請求項５】
亜鉛に対するホウ酸のモル比が０．３と０．７の間である、請求項１から４いずれか１項記載のプロセス。
【請求項６】
化学組成Ｃ4Ｈ8Ｏ9Ｂ2Ｚｎ4を有する、ポリエチレンテレフタレートの製造のための触媒。  
【請求項７】
ポリエチレンテレフタレートの製造のためのプロセスにおける請求項６記載の触媒の使用。
【請求項８】
高分子量のポリエチレンテレフタレートを製造する方法であって、
ａ）請求項６記載の触媒の存在下で、溶融状態にあるテレフタル酸、エチレングリコールおよび随意的なイソフタル酸を重合する工程、および
ｂ）少なくとも０．６６ｄＬ／ｇの固有粘度に到達した後、溶融ポリマーを固化し、少なくとも１．００の固有粘度に到達するまで、固体状態で重合を継続する工程、
を有してなる方法。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
１つの主表面上に剥離ライナによって保護されている接着層を有するポリ塩化ビニルフィルムを含む接着フィルムであって、前記ポリ塩化ビニルフィルムと前記接着層との間にプライマー層が配置され、前記プライマー層が、アミノプラスト及びポリエステル並びに／又はこれらの硬化物を含み、前記剥離ライナが、前記接着層と接触する前記主表面上に、少なくとも２つの面内方向に沿って一連の隆起部を含むことにより、前記隆起部が相互連結して、隆起部によって囲まれている多数の凹部を画定する接着フィルム。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
合成石英ガラスの製造方法であって、以下の方法工程：
（Ａ）オクタメチルシクロテトラシロキサンを７０質量％超有する、液体のＳｉＯ2出発材料（１０５）を準備する工程、
（Ｂ）液体のＳｉＯ2出発材料（１０５）を蒸発させて、気体のＳｉＯ2出発蒸気（１０７）にする工程であって、膨張チャンバー（１２５）中でＳｉＯ2出発材料（１０５）を微細な液滴に噴霧化する噴射段階を含み、ここで、前記液滴の噴霧化をキャリアガス流中で行う前記工程、
（Ｃ）ＳｉＯ2出発蒸気（１０７）をＳｉＯ2粒子に変換する工程、
（Ｄ）前記ＳｉＯ2粒子を、ＳｉＯ2スート体（２００）の形成下に堆積面（１６０）に堆積させる工程、
（Ｅ）前記ＳｉＯ2スート体を、合成石英ガラスの形成下にガラス化する工程、
を含んでいる前記方法において、
前記液滴が、５μｍ未満の平均直径を有しており、かつ噴霧化の間に、キャリアガス／ＳｉＯ2出発材料のモル比１．５以上で該液滴を前記キャリアガス流と混合し、ここで、前記キャリアガス流が、あらかじめ１８０℃超の温度に加熱されていることを特徴とする前記方法。
【請求項２】
ＳｉＯ2出発材料（１０５）が、微細な液滴に噴霧化され、ここで、該液滴が、２μｍ未満の平均直径を有していることを特徴とする、請求項１に記載の方法。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
ハンドルと、該ハンドルに結合される外側シースとを有する腹腔鏡器具用の挿入具であって、  前記外側シース内に収納され、その近位端で前記ハンドルと係合するように構成されたロッドと、  前記ロッドの遠位端に配置される連動機構であって、前記連動機構は回転可能なツール部およびカムプレートを有し、前記カムプレートは、第１のピボット点で前記ロッドと結合されており、また、第２のピボット点で前記回転可能なツール部と結合されており、前記カムプレートは、前記第２のピボット点に隣接して配置された円弧状のスロットを有し、前記回転可能なツール部は、前記円弧状のスロット中に横方向に延在するカムガイドを有し、 前記連動機構の回転可能ツール部に結合されたツールと、を有し、  前記連動機構は、前記ロッドの前記外側シースに対する直線運動を、前記ツールおよび前記回転可能なツール部の前記外側シースに対するピボット運動に変換するように構成されていることを特徴とする挿入具。
【請求項２】
前記連動機構は、前記ロッドの前記外側シースに対する直線運動を、少なくとも１５０°の前記ツールおよび前記回転可能なツール部のピボット運動に変換するように構成されている、請求項１に記載の挿入具。
【請求項３】
前記ツールは、縫合糸を受けとるための縫合開口を備える請求項１または２に記載の挿入具。
【請求項４】
前記縫合開口は、縫合孔または縫合スロットであり、  該縫合スロットは、前記ツールの長さに沿って延在し、縫合材が前記縫合スロットに挿通することができる開口を備えている請求項３に記載の挿入具。
【請求項５】
前記ツールは、縫合針を含む請求項１ないし４のいずれかに記載の挿入具。
【請求項６】
前記縫合針は、直線状のシャフトを含む請求項５に記載の挿入具。
【請求項７】
前記縫合針は、湾曲状のシャフトを含む請求項５に記載の挿入具。
【請求項８】
前記縫合針の遠位端は、  （ａ）円錐状に先細となっている、  （ｂ）刃先を形成するために直線状に先細となっている、または  （ｃ）丸い端を備えている請求項５に記載の挿入具。
【請求項９】
前記ツールは、球状の先端または楕円状の先端の１つを備えた直線状のシャフト、または、球状の先端または楕円状の先端の１つを備えた湾曲状のシャフトを有する尿管トンネラーを含む請求項４に記載の挿入具。
【請求項１０】
前記ツールは、ディセクターを含む請求項４に記載の挿入具。
【請求項１１】
前記ディセクターは、シャフトと、該シャフトの遠位端で薄肉の先端と、該薄肉の先端の遠位端で前記シャフトの長さに対して垂直に存在する直線状のエッジを備えている請求項１０に記載の挿入具。
【請求項１２】
前記薄肉の先端は、少なくとも１つの平面を有する請求項１１に記載の挿入具。
【請求項１３】
前記薄肉の先端は、湾曲状に構成されている請求項１１または１２に記載の挿入具。
【請求項１４】
前記薄肉の先端に形成された長尺状のスロットと、前記直線状のエッジに形成された開口とを含む請求項１１ないし１３のいずれかに記載の挿入具。
【請求項１５】
前記シャフトは、前記先端よりも該シャフトの近位端側で、前記シャフトの長軸に沿って延在するダブテール状のスロットを備えている請求項１１ないし１４のいずれかに記載の挿入具。
【請求項１６】
前記ツールは、直線状のシャフトまたは螺旋状のシャフトを有するミオリトラクターを含む請求項４に記載の挿入具。
【請求項１７】
前記ツールは、直線状のシャフトと、前記シャフトの遠位端に設けられたフックとを有するミオリトラクターを含む請求項４に記載の挿入具。
【請求項１８】
前記ツールは、外科用メスを含む請求項２に記載の挿入具。
【請求項１９】
前記ツールは、互いに対向する長尺の刃先を有する長尺のスロットを備えた皮剥刃を含む請求項２に記載の挿入具。
【請求項２０】
ハンドルと、該ハンドルに結合される外側シースとを有する腹腔鏡器具用の挿入システムであって、  前記外側シース内に収納され、その近位端で前記ハンドルと係合するように構成されたロッドと、  前記ロッドの遠位端に配置される連動機構であって、前記連動機構はツール結合部およびカムプレートを有し、前記カムプレートは、第１のピボット点で前記ロッドと結合されており、また、第２のピボット点で前記ツール結合部と結合されており、 前記連動機構の前記ツール結合部にそれぞれ着脱可能に取り付ける複数のツールと、を有し、  前記連動機構は、前記ロッドの前記外側シースに対する直線運動を、前記ツールおよび前記ツール結合部の前記外側シースに対するピボット運動に変換するように構成されていることを特徴とする挿入システム。
【請求項２１】
前記複数のツールは、少なくとも２つの異なる構成のツールを含む請求項２０に記載の挿入システム。
【請求項２２】
前記複数のツールは、請求項５ないし１０のいずれかに記載の前記ツールのうちの１または２以上を含む請求項２１に記載の挿入具。
【請求項２３】
ハンドルと、  該ハンドルに結合される外側シースと、  請求項１ないし２０のいずれかに記載の挿入具と、を有し、  該挿入具は、前記外側シース内に収納され、その近位端で前記ハンドルと動作可能に結合されていることを特徴とする腹腔鏡器具。
【請求項２４】
前記ツールは、前記連動機構の前記回転可能なツール部に着脱可能に結合された、請求項１ないし１９のいずれかに記載の挿入具。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
コンピュータを使って特権に基づく鍵を生成するための方法であって、
アプリケーションから特権を受信するステップであって、デジタル署名が、前記アプリケーション用の前記特権およびコードに基づき、前記特権が、リソースにアクセスおよび/または使用するための前記アプリケーションの権利の指示である、ステップと、
前記特権が前記アプリケーションに関連付けられていることを、前記デジタル署名を使って検証するステップと、
前記特権が検証された場合、前記コンピュータによって、第1の鍵および前記特権を使って、第2の鍵を暗号的に生成するステップと、
前記第2の鍵を前記アプリケーションに提供するステップとを含む方法。
【請求項２】
前記第1の鍵が共有秘密鍵である、請求項1に記載の特権に基づく鍵を生成するための方法。
【請求項３】
前記第1の鍵が、デバイスに一意のデバイス鍵である、請求項1に記載の特権に基づく鍵を生成するための方法。
【請求項４】
前記第2の鍵が暗号化鍵である、請求項1に記載の特権に基づく鍵を生成するための方法。
【請求項５】
前記第2の鍵が一時セッション鍵である、請求項1に記載の特権に基づく鍵を生成するための方法。
【請求項６】
前記特権がファイルシステム許可を含む、請求項1に記載の特権に基づく鍵を生成するための方法。
【請求項７】
前記特権がリソースアクセス権を含む、請求項1に記載の特権に基づく鍵を生成するための方法。
【請求項８】
前記特権が32ビット整数を含む、請求項1に記載の特権に基づく鍵を生成するための方法。
【請求項９】
前記第1の鍵および前記特権を使って、前記第2の鍵を暗号的に生成するステップが、前記第1の鍵および前記特権を入力として使ってハッシュを実施して、前記第2の鍵を生成するステップを含む、請求項1に記載の特権に基づく鍵を生成するための方法。
【請求項１０】
前記第1の鍵および前記特権を使って、前記第2の鍵を暗号的に生成するステップが、前記第1の鍵および前記特権を入力として使って一方向暗号化演算を実施して、前記第2の鍵を生成するステップを含む、請求項1に記載の特権に基づく鍵を生成するための方法。
【請求項１１】
特権に基づく鍵を生成するための装置であって、
アプリケーションから特権を受信するための手段であって、デジタル署名が、前記アプリケーション用の前記特権およびコードに基づき、前記特権が、リソースにアクセスおよび/または使用するための前記アプリケーションの権利の指示である、手段と、
前記特権が前記アプリケーションに関連付けられていることを、前記デジタル署名を使って検証するための手段と、
前記特権が検証された場合、第1の鍵および前記特権を使って、第2の鍵を暗号的に生成するための手段と、
前記第2の鍵を前記アプリケーションに提供するための手段とを備える装置。
【請求項１２】
前記第1の鍵および前記特権を使って、前記第2の鍵を暗号的に生成するための前記手段が、前記第1の鍵および前記特権を入力として使ってハッシュを実施して、前記第2の鍵を生成するための手段を備える、請求項11に記載の特権に基づく鍵を生成するための装置。
【請求項１３】
前記第1の鍵および前記特権を使って、前記第2の鍵を暗号的に生成するための前記手段が、前記第1の鍵および前記特権を入力として使って一方向暗号化演算を実施して、前記第2の鍵を生成するための手段を備える、請求項11に記載の特権に基づく鍵を生成するための装置。
【請求項１４】
コンピュータに請求項1から10のいずれか一項に記載の方法を実行させるためのコードを備えるコンピュータプログラム。
【手続補正書】
【提出日】平成27年12月14日(2015.12.14)
【手続補正１】
【補正対象書類名】特許請求の範囲
【補正対象項目名】全文
【補正方法】変更
【補正の内容】
【特許請求の範囲】
【請求項１】
ワイヤレス通信デバイス(112)を動作させる方法であって、
他のデバイス(102、106、107、108、109)による送信を抑制するために使用される信号の送信の有効性を推定する、信号抑制有用性メトリック(SSUM)を生成するステップであって、
ある時間期間の間に他のデバイス(114)からの送信抑制信号について監視するステップと、
前記時間期間中に受信された送信抑制信号の電力を測定するステップと
を含む、ステップと、
前記生成されたSSUMの値に基づいて、送信抑制信号を送信するべきか否かの決定を行うステップと
を含む方法。
【請求項２】
前記送信抑制信号が、S-CTS信号であり、
前記ワイヤレス通信デバイス(112)が、前記S-CTS信号の送信によって抑制されるべきであるWiFiに準拠していない通信プロトコルを使用するピアツーピア通信デバイスである、請求項1に記載の方法。
【請求項３】
前記SSUMを生成するステップが、
前記時間期間中に受信された送信抑制信号の数が多いほど、より低いSSUMを生成するステップ
をさらに含む、請求項1に記載の方法。
【請求項４】
前記SSUMを生成するステップが、
少なくとも1つの受信された送信抑制信号の前記測定電力に基づいて、前記SSUMを生成するステップ
をさらに含む、請求項1に記載の方法。
【請求項５】
前記SSUMの前記生成が、受信された送信抑制信号の数と、少なくとも最強の受信された送信抑制信号の前記測定送信電力の両方に基づく、請求項1に記載の方法。
【請求項６】
前記SSUMが、低レベルの有益性を示す第1のしきい値を下回るとき、送信抑制信号を送信しないことを決定するステップ
をさらに含む、請求項5に記載の方法。
【請求項７】
前記SSUMが、前記第1のしきい値に等しいか、または前記第1のしきい値を超えるとき、前記送信抑制信号を送信することを決定するステップ
をさらに含む、請求項6に記載の方法。
【請求項８】
前記SSUMに基づいて、バックオフタイマーを選択するステップであって、前記バックオフタイマーは、送信機会時間間隔中に、いつ前記送信抑制信号を送信するべきかを判断する際に使用され、前記選択されたバックオフタイマーは、より高いSSUMに対してよりも、低い有益性を示す小さいSSUMに対してより大きい、ステップと、
前記選択されたバックオフタイマーが現在の送信機会時間間隔内に満了しない場合、送信抑制信号をキャンセルするステップと
をさらに含む、請求項7に記載の方法。
【請求項９】
他のデバイスによる送信を抑制するために使用される信号の送信の有効性を推定する、信号抑制有用性メトリック(SSUM)を生成するための手段(406)であって、
ある時間期間の間に他のデバイスからの送信抑制信号について監視するための手段(408)と、
前記時間期間中に受信された送信抑制信号の電力を測定するための手段(410)と
を含む、手段(406)と、
前記生成されたSSUMの値に基づいて、送信抑制信号を送信するべきか否かの決定を行うための手段(426)と
を備えるワイヤレス通信デバイス(300)。
【請求項１０】
前記送信抑制信号が、S-CTS信号であり、
前記ワイヤレス通信デバイス(300)が、前記S-CTS信号の送信によって抑制されるべきであるWiFiに準拠していない通信プロトコルを使用するピアツーピア通信デバイスである、請求項9に記載のワイヤレス通信デバイス(300)。
【請求項１１】
前記SSUMを生成するための前記手段(406)が、
前記時間期間中に受信された送信抑制信号の数が多いほど、より低いSSUMを生成するための手段(412)
をさらに含む、請求項10に記載のワイヤレス通信デバイス(300)。
【請求項１２】
前記SSUMを生成するための前記手段(406)が、
少なくとも1つの受信された送信抑制信号の前記測定電力に基づいて、SSUMを生成するための手段(414)
をさらに含む、請求項10に記載のワイヤレス通信デバイス(300)。
【請求項１３】
請求項1から8のいずれか一項に記載の方法を実行するための命令を備える、コンピュータプログラム。
【手続補正書】
【提出日】平成27年11月21日(2015.11.21)
【手続補正１】
【補正対象書類名】特許請求の範囲
【補正対象項目名】全文
【補正方法】変更
【補正の内容】
【特許請求の範囲】
【請求項１】
（ｉ）インターロイキン−１７Ａ（ＩＬ−１７Ａ）、および／またはインターロイキン−１７Ｆ（ＩＬ−１７Ｆ）；
（ｉｉ）インターロイキン−２２（ＩＬ−２２）；または
（ｉｉｉ）ＩＬ−１７Ａ／ＩＬ−１７Ｆヘテロ二量体
に対するものである、中枢性および／もしくは末梢性寛容の異常または自己寛容の喪失に罹患している哺乳動物由来のモノクローナル抗体またはその抗原結合断片。
【請求項２】
ヒト抗体であり、好ましくは、
（ｉ）自己免疫調節因子（ＡＩＲＥ：Ａｕｔｏｉｍｍｕｎｅ  Ｒｅｇｕｌａｔｏｒ）遺伝子の突然変異に関連する自己免疫性多腺性内分泌不全症・カンジダ症・外胚葉ジストロフィ（ＡＰＥＣＥＤ）に罹患しているヒト被験体の試料から、前記抗体を産生するＢ細胞を選択すること；
（ｉｉ）選択されたＢ細胞から、前記抗体をコードする核酸を得、および／またはこれを配列決定すること；
（ｉｉｉ）前記核酸を挿入するか、または前記核酸を使用して、前記抗体を発現することができる発現宿主を調製すること；
（ｉｖ）前記抗体が発現される条件下で、前記発現宿主を培養または継代培養すること；および、
（ｖ）前記抗体を精製すること
によって得られる、請求項１に記載の抗体。
【請求項３】
立体構造エピトープを特異的に認識し、抗原の生物学的活性を中和することができるヒト抗体である、請求項１または２に記載の抗体。
【請求項４】
その可変領域に、
（ａ）（ｉ）図１５（ＶＨ）（配列番号７、１５、２３、３１、３９、４７、５５）；および
（ｉｉ）図１５（ＶＬ）（配列番号９、１７、２５、３３、４１、４９、５７）
に示されているＶＨおよび／またはＶＬ可変領域アミノ酸配列の少なくとも１つの相補性決定領域（ＣＤＲ）；
（ｂ）図１５に示されているＶＨおよび／またはＶＬ領域のアミノ酸配列；
（ｃ）（ａ）のアミノ酸配列のいずれか１つの部分的な変化から生じるアミノ酸配列からなる少なくとも１つのＣＤＲ；
（ｄ）（ｂ）のアミノ酸配列の部分的な変化から生じるアミノ酸配列を含む重鎖および／または軽可変領域；
（ｅ）（ａ）のアミノ酸配列のいずれか１つと少なくとも８０％の同一性を有するアミノ酸配列を含む少なくとも１つのＣＤＲ；
（ｆ）（ｂ）のアミノ酸配列と少なくとも６０％の同一性を有するアミノ酸配列
を含む、請求項１〜３のいずれか一項に記載の抗体または抗原結合断片、或いはそれらの誘導体。
【請求項５】
表１７に示されているＣＨおよびＣＬアミノ酸配列（配列番号１１、１３、１９、２１、２７、２９、３５、３７、４３、４５、５１、５３、５９、６１）から選択されるアミノ酸配列、または少なくとも６０％の同一性を有するアミノ酸配列を含むＣＨおよび／またはＣＬ定常領域を含む、請求項１〜４のいずれか一項に記載の抗体。
【請求項６】
請求項１〜５のいずれか一項に記載の抗体または抗原結合断片の一方の免疫グロブリン鎖の少なくとも可変領域をコードする、ポリヌクレオチド。
【請求項７】
場合により、前記抗体の他方の免疫グロブリン鎖の可変領域をコードする請求項６に記載のポリヌクレオチドと組み合わせて、請求項６に記載のポリヌクレオチドを含む、ベクタ。
【請求項８】
請求項６に記載のポリヌクレオチドまたは請求項７に記載のベクタを含む、宿主細胞。
【請求項９】
検出可能に標識されているか、または薬物に結合しており、好ましくは、検出可能な標識が、酵素、放射性同位体、フルオロフォアおよび重金属からなる群より選択される、請求項１〜５のいずれか一項に記載の抗体、抗原結合断片、或いはその誘導体。
【請求項１０】
請求項１〜５のいずれか一項に記載の抗体の抗イディオタイプ抗体、または、請求項１〜５のいずれか一項に記載の抗体によって特異的に認識されるエピトープを含む、合成ペプチドもしくはペプチド系化合物。
【請求項１１】
自己免疫性多腺性内分泌不全症・カンジダ症・外胚葉ジストロフィ（ＡＰＥＣＥＤ）の処置に使用するための、請求項１０に記載の抗イディオタイプ抗体、またはペプチドもしくはペプチド系化合物。
【請求項１２】
請求項１〜５または９のいずれか一項に記載の抗体、抗原結合断片またはそれらの誘導体、請求項６に記載のポリヌクレオチド、請求項７に記載のベクタ、請求項８に記載の細胞、請求項１０に記載の抗イディオタイプ抗体またはペプチドもしくはペプチド系化合物を含み、好ましくは、
（ａ）好ましくは異なる特異性を有する少なくとも２種の前記抗体を含み、及び／または
（ｂ）前記少なくとも２種の抗体が、好ましくは異なるエピトープで同じ抗原を認識する、
組成物。
【請求項１３】
（ａ）医薬組成物であり、薬学的に許容し得る担体をさらに含み、好ましくは、非ステロイド性抗炎症薬（ＮＳＡＩＤ）、コルチコステロイド、抗ヒスタミンおよびそれらの組み合わせからなる群より選択される、炎症または自己免疫性障害を処置するのに有用なさらなる薬剤をさらに含む、または
（ｂ）診断組成物またはキットであり、免疫診断法または核酸ベースの診断法に通常使用される試薬をさらに含む、
請求項１２に記載の組成物。
【請求項１４】
炎症もしくは自己免疫性障害の進行を処置または予防するうえで使用するための、炎症もしくは自己免疫性障害に関連する症候を改善するための、炎症もしくは自己免疫性障害の存在について被験体を診断またはスクリーニングするための、または炎症もしくは自己免疫性障害を発症する被験体のリスクを決定するための、請求項１〜５または９のいずれか一項に記載の抗体もしくは抗原結合断片、請求項１０に記載の抗イディオタイプ抗体またはペプチドもしくはペプチド系化合物であって、好ましくは、静脈内投与、筋肉内投与、皮下投与、腹腔内投与、鼻腔内投与、非経口投与、またはエアロゾルとして投与されるように設計されている、前記抗体もしくは抗原結合断片、前記抗イディオタイプ抗体または前記ペプチドもしくはペプチド系化合物。
【請求項１５】
前記障害が、尋常性座瘡；関節炎、例えば、痛風性関節炎、全身性エリテマトーデス（ＳＬＥ）、変形性関節症、乾癬性関節炎、関節リウマチ；喘息；セリアック病；慢性前立腺炎；皮膚炎；真性糖尿病１型；糸球体腎炎；過敏症；心筋炎；多発性硬化症；炎症性腸疾患；骨盤内炎症性疾患；多発性筋炎；乾癬；サルコイドーシス；血管炎；間質性膀胱炎または再灌流障害もしくは移植拒絶反応により生じる炎症からなる群より選択される、請求項１４に記載の抗体もしくは抗原結合断片、抗イディオタイプ抗体またはペプチドもしくはペプチド系化合物。
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
ダウンホールの流体における対象となる性質を感知し、該ダウンホールの流体を測定可能に配置された圧電性結晶を含む、曲げ振動を用いた圧電共振器を選択し、
イオン注入法を用いて該圧電性結晶にイオンを注入し、該圧電性結晶内に導電領域を作り、
前記曲げ振動を用いた圧電共振器を、地中を貫く掘削孔を通して搬送されるキャリアに連結し、
前記導電領域がダウンホールの流体における前記対象となる性質を感知する信号を与えること
を特徴とする、ダウンホールの流体における対象となる性質を感知するセンサの製造方法。
【請求項２】
前記圧電性結晶が、水晶、ＰＺＴ、ニオブ酸リチウム、タンタル酸リチウム、ホウ酸リチウム、ベルリナイト、ヒ化ガリウム、四ホウ酸リチウム、リン酸アルミニウム、酸化ビスマスゲルマニウム、多結晶性チタン酸ジルコニウムセラミックス、高アルミナ質セラミックス、シリコン−酸化亜鉛複合体、又は酒石酸ジカリウムを含むことを特徴とする、請求項１に記載の製造方法。
【請求項３】
前記導電領域が少なくとも１つの電極を有することを特徴とする、請求項１に記載の製造方法。
【請求項４】
前記少なくとも１つの電極が相互に電気的に絶縁された２つ以上の電極を含むことを特徴とする、請求項３に記載の製造方法。
【請求項５】
１以上の周波数の交流電圧を前記２つ以上の電極に印加すると、前記圧電性結晶が、流体内で共振するように設計された形状を有することを特徴とする、請求項４に記載の製造方法。
【請求項６】
前記形状が音叉の形状であることを特徴とする、請求項５に記載の製造方法。
【請求項７】
前記導電領域の一部にアクセスするために結晶材料を除去することをさらに含むことを特徴とする、請求項１に記載の製造方法。
【請求項８】
前記導電領域の前記一部に金属層を蒸着して接触パッドを形成することをさらに含むことを特徴とする、請求項７に記載の製造方法。
【請求項９】
イオンビーム混合を用いて前記導電領域の前記一部に前記金属層を密着させることをさらに含むことを特徴とする、請求項８に記載の製造方法。
【請求項１０】
イオンを注入することが結晶を焼き鈍すことを含むことを特徴とする、請求項１に記載の製造方法。
【請求項１１】
イオンを注入することが、リソグラフィーを用いてマスクを作ることと、該マスクに従ってイオン注入を行うこととを含むことを特徴とする、請求項１に記載の製造方法。
【請求項１２】
イオン注入を行った前記結晶の表面に、該結晶と同じ材料の１以上の格子層を形成することをさらに含むことを特徴とする、請求項１に記載の製造方法。
【請求項１３】
圧電性結晶を含む、曲げ振動を用いた圧電共振器を配置したキャリアを、地中を貫く掘削孔を通して搬送し、
注入されたイオンを含み、ダウンホールの流体における対象の性質に関する信号を与える導電領域を結晶内に有する圧電性結晶を前記対象の性質を測定可能に配設し、
該信号を用いて前記対象の性質の評価を行うこと
を特徴とする、ダウンホールの流体における対象の性質を評価する方法。
【請求項１４】
前記導電領域に電圧を印加することをさらに含むことを特徴とする、請求項１３に記載の方法。
【請求項１５】
地層を貫く掘削孔を通して搬送されるように設計されているキャリアと、
ダウンホールの流体を測定可能であるように配置され、注入されたイオンを含むと共に該ダウンホールの流体における対象の性質に関する信号を与える導電領域を結晶内に有する圧電性結晶を含む、前記キャリアに配置された、曲げ振動を用いた圧電共振器と、
該信号を受けてダウンホールの流体における前記対象の性質を評価する処理装置と
を含むことを特徴とする、ダウンホールの流体における対象の性質を評価する装置。
【請求項１６】
前記導電領域が接触パッドに連結されていることを特徴とする、請求項１５に記載の装置。
【請求項１７】
交流電圧を前記接触パッドに印加すると、前記圧電性結晶が流体内で共振するように設計されていることを特徴とする、請求項１６に記載の装置。
【請求項１８】
前記導電領域が対象の性質を感知することに係る信号を受け取ると、該導電領域が電荷を伝導するように設計され、前記対象の性質を評価することを特徴とする、請求項１５に記載の装置。
【請求項１９】
前記キャリアが、ワイヤライン、スリックライン（slickline）、ドリルストリング、又はコイル管であることを特徴とする、請求項１５に記載の装置。
【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
癌と診断された対象に処置を選択するための方法であって、
（ａ）経路プロファイルを決定するための近接アッセイを用いて、対象から採取した試料におけるＨＥＲ１、ＨＥＲ２、ＨＥＲ３、ｃＭＥＴ、ＩＧＦ−１Ｒ、ＰＩ３Ｋ、ＡＫＴ、ＥＲＫ、ＭＥＫ、ｐ７０Ｓ６Ｋ、ＰＤＫ１、ＰＲＡＳ４０、ＰＴＥＮ、ＲＰＳ６、ＳＨＣ及びこれらの組合せからなる群から選択される１つ又は複数のシグナル伝達分析物の発現及び／又は活性化レベルを測定するステップと、
（ｂ）対象の経路プロファイルに基づいて、対象が標的のインヒビター治療に応答する可能性があるか否かを決定することにより、標的のインヒビター治療を推奨するステップと
を含む方法。
【請求項２】
ステップ（ａ）が、対象の経路プロファイルを基準経路プロファイルと比べることをさらに含み、基準経路プロファイルが、癌細胞株からの試料又は特定のタイプの癌を有する対象からの試料を用いて決定され、請求項１に記載の方法。
【請求項３】
近接アッセイが協同的酵素増強反応性イムノアッセイ（ＣＥＥＲ）である、請求項１に記載の方法。
【請求項４】
癌を有する対象に対して、治療を最適化し、又は標的のインヒビターの治療有効性をモニタリングするための方法であって、
（ａ）標的のインヒビターでの治療クールにわたって複数の時点で対象から採取した試料における、ＨＥＲ１、ＨＥＲ２、ＨＥＲ３、ｃＭＥＴ、ＩＧＦ−１Ｒ、ＰＩ３Ｋ、ＡＫＴ、ＥＲＫ、ＭＥＫ、ｐ７０Ｓ６Ｋ、ＰＤＫ１、ＰＲＡＳ４０、ＰＴＥＮ、ＲＰＳ６、ＳＨＣ、及びそれらの組合せからなる群から選択される１つ又は複数のシグナル伝達分析物の発現及び／又は活性化レベルを測定して、経路プロファイルを決定するステップと、
（ｂ）対象の経路プロファイルに基づいて、対象が標的のインヒビターに応答性であるか否かを決定するステップと、
（ｃ）対象が応答性である場合、標的のインヒビターの投与を継続することを推奨するステップと
を含む方法。
【請求項５】
対象が非応答性である場合、標的のインヒビターの投与を改変することを推奨することをさらに含むか、少なくとも２つの標的のインヒビターの投与を推奨することをさらに含む、請求項４に記載の方法。
【請求項６】
複数の時点における第１の時点が、標的のインヒビターでの治療クール前である、請求項４に記載の方法。
【請求項７】
複数の時点における１つ又は複数の後の時点が、標的のインヒビターでの治療クールの間にある、請求項４に記載の方法。
【請求項８】
癌が、乳癌、直腸結腸癌、胃癌、肺癌、膵臓癌、及び前立腺癌からなる群から選択される、請求項１又は４に記載の方法。
【請求項９】
試料が、細針吸引物、腫瘍組織生検、腫瘍細胞、又は循環腫瘍細胞である、請求項１又は４に記載の方法。
【請求項１０】
標的のインヒビターが、チロシンキナーゼインヒビター、ＰＩ３Ｋインヒビター、ＭＥＫインヒビター、ＨＥＲ２インヒビター、ＨＥＲ３インヒビター、及びそれらの組合せからなる群から選択される、請求項１又は４に記載の方法。
【請求項１１】
ＰＩ３Ｋインヒビターが、ＢＹＬ７１９、ＢＡＹ８４１２３６、ＢＡＹ８０６９４６、ＳＦ１１２６、ＸＬ１４７、ＸＬ７６５、ＮＶＰ−ＢＥＺ２３５、ＮＶＰ−ＢＧＴ２２６、ＮＶＰ−ＢＫＭ１２０、ＧＤＣ−０９４１、ＰＸ−８６６、ＧＳＫ１０５９６１５、ＣＡＬ−１０１、及びそれらの組合せからなる群から選択される、請求項１０に記載の方法。
【請求項１２】
ＭＥＫインヒビターが、ＢＡＹ８６９７６６、ＭＥＫ１６２、ＧＤＣ−０９７３／ＲＧ７４２０、ＧＤＣ−０６２３／ＲＧ７４２１、ＲＧ７１６７、ＲＧ７３０４、ＸＬ５１８、ＰＤ−３２５９０１、及びそれらの組合せからなる群から選択される、請求項１０に記載の方法。
【請求項１３】
ＨＥＲ２インヒビターが、トラスツズマブ、トラスツズマブ−ＤＭ１、エルツマクソマブ、ゲフィチニブ、エルロチニブ、ペリチニブ、ＣＰ−６５４５７７、ＣＰ−７２４７１４、カネルチニブ／ＣＩ１０３３／ＰＤ１８３８０５、ＨＫＩ−２７２、ラパチニブ、ネラチニブ、ＰＫＩ−１６６／ＣＧＰ−７５１６６、ＡＥＥ７８８、ＢＭＳ−５９９６２６、ＨＫＩ−７２７、ＨＫＩ−３５７、ＢＩＢＷ２９９２、ＡＧ１４７８、Ａｒｒｙ−３８０、ＡＲＲＹ−３３４５４３、Ｂａｙ８４６、Ｄ６９４９１、ＤＸＬ−７０２、ＪＮＪ−２６４８３３２７、及びそれらの組合せからなる群から選択される、請求項１０に記載の方法。
【請求項１４】
ＨＥＲ３インヒビターが、ＭＭ−１２１、ＡＭＧ−８８８、トラスツズマブ、ペルツズマブ、セツキシマブ、ＭＥＨＤ７９４５Ａ／ＲＧ７５９７、ＲＧ７１１６、ゲフィチニブ、エルロチニブ、カネルチニブ、ラパチニブ、ＭＰ−４７０、ＡＺＤ８９３１、ＰＦ００２９９８０４、及びそれらの組合せからなる群から選択される、請求項１０に記載の方法。